(57)【要約】      （修正有）【課題】仕掛けた捕獲器にモグラが捕獲されたことを知らせる、表示機能を有する捕獲器を提供する。【解決手段】入ることのみが出来る通路を有するモグラ捕獲器に、通路を形成する導入筒に筒体を垂直に立設すると共に、筒体内及び通路内に回動自在に装備される棒体であって、下端にモグラと当接可能な突片を有する表示部材を設けた。筒体上部に視認窓を設けると共に、表示部材上端を２色以上に塗り分けた。【選択図】図１
0003154667.tif 000002
【実用新案登録請求の範囲】
【請求項１】
入ることのみが出来る通路を有するモグラ捕獲器において、通路を形成する導入筒に筒体を垂直に立設すると共に、筒体内及び通路内にわたり回動自在に装備される棒体であって、下端にモグラと当接可能な突片を有する表示部材を設けたモグラ捕獲器。
【請求項２】
筒体上部に視認窓を設けると共に、表示部材上端を２色以上に塗り分けた請求項１記載のモグラ捕獲器。
【請求項３】
突片がリング状である請求項１又は２に記載のモグラ捕獲器。
【請求項４】
突片が板状である請求１又は２に記載のモグラ捕獲器。
【請求項５】
突片がブラシ状である請求１又は２に記載のモグラ捕獲器。
【考案の詳細な説明】
【技術分野】
【０００１】
本考案はモグラを捕獲・駆除するための装置に関し、より詳しくは仕掛けた捕獲器にモグラが捕獲されたことを知らせる、表示機能を有するモグラ捕獲器に関する。
【背景技術】
【０００２】
モグラの巣は雨水の侵入が防げる場所（障害物の下、木の根、小高い丘）に作られる。モグラはこの巣から餌場に向かうトンネル（本道）や餌場でのトンネル（支道）、そして逃げ込む場所の避難所を作る。本道は餌場を囲むように作られ、毎回この本道を通って餌場に行く。餌場では様々な形で支道が作られ、土中のミミズや昆虫の幼虫を食べる。餌がなくなると次々に新しい支道を作り、餌場では新旧の支道が多数存在することになる。
【０００３】
かように本道や多数の支道が作られるため、田圃では畦に穴が開き漏水の原因となったり、畑では作物の根を持ち上げて枯らせてしまう。又、ゴルフ場でも芝生が枯れてしまうといった被害が生じる。
【０００４】
そこで、かかる被害を防ぐべく種々のモグラ捕獲装置が提案されており、例えば特開平１０−１１７６６４号公報には、両側が開口された筒体の両開口部に、モグラが筒体内に入ることは出来るが、出ることは出来ない逆止扉を設けた捕獲器が提示されており、また、登録実用新案公報第３０３１２２４号には、円筒形の捕獲室の外周全体に、モグラが捕獲室内に入ることは出来るが、出ることは出来ない逆止扉を設けた捕獲器が提示されている。
【先行技術文献】
【特許文献】
【０００５】
【特許文献１】特開平１０−１１７６６４号公報
【特許文献２】登録実用新案公報第３０３１２２４号
【考案の概要】
【考案が解決しようとする課題】
【０００６】
前記従来例の如く、多くのモグラ捕獲器はモグラが通るトンネルに仕掛けるものであるが、かかる形態の捕獲器は地中に埋設するものである。よって、当該捕獲器にモグラが捕獲されているかどうかを外部から視認することは出来ないという難点を有する。
【０００７】
上記登録実用新案公報第３０３１２２４号記載の捕獲器には、外部からおとり餌を装着するための筒体が地上に突設されているが、あくまで地上から餌を交換するためのものに過ぎず、モグラが捕獲されているかどうかを確認することは困難である。
【０００８】
そこで本考案は、仕掛けた捕獲器にモグラが捕獲されたことを、モグラ捕獲器を掘り起こすことなく外部から視認可能な表示機能を備えたモグラ捕獲器を提供することを目的とする。
【課題を解決するための手段】
【０００９】
上記課題を解決するために、本考案は以下のように構成した。
【００１０】
請求項１：入ることのみが出来る通路を有するモグラ捕獲器において、通路を形成す              る導入筒に筒体を垂直に立設すると共に、筒体内及び通路内に回動自在に              装備される棒体であって、下端にモグラと当接可能な突片を有する表示部              材を設けた。
【００１１】
請求項２：請求項１記載のモグラ捕獲器において、筒体上部に視認窓を設けると共                に、表示部材上端を２色以上に塗り分けた。
【００１２】
請求項３：請求項１又は２に記載のモグラ捕獲器において、突片をリング状に形成し              た。
【００１３】
請求項４：請求項１又は２に記載のモグラ捕獲器において、突片を板状に形成した。
【００１４】
請求項５：請求項１又は２に記載のモグラ捕獲器において、突片をブラシ状に形成し              た。
【考案の効果】
【００１５】
本考案にかかるモグラ捕獲器は、モグラが入る導入筒を地中のトンネルに埋設すると共に、導入筒に対し垂直に立設された筒体は地上に現れるものである。この筒体内には、導入筒内に侵入したモグラと当接することで回動する表示部材が装備されている。
【００１６】
上述のように筒体は地上に存するため、その内部に存する表示部材の状態も地上から視認できる。それゆえ、表示部材が捕獲器を設置した際の位置から回動していれば、モグラ捕獲器内にモグラが入ったことを示すことになる。
【００１７】
かようにして、本考案によれば仕掛けた捕獲器にモグラが捕獲されたことを、モグラ捕獲器を掘り起こすことなく外部から視認可能なモグラ捕獲器を提供することが可能となるのである。
【００１８】
請求項２記載のモグラ捕獲器は、筒体上部に視認窓が設けると共に、表示部材上端を２色以上に塗り分けてある。視認窓を通して表示部材の状態を確認できると共に、視認窓から見える表示部材の色の変化により、より容易にモグラの捕獲状況を確認できるものである。
【００１９】
請求項３乃至５に記載の考案は、導入筒内に侵入したモグラと当接する突片の形状に工夫を施したものであり、リング状、板状あるいはブラシ状とすることにより、モグラとの接触による表示部材の回転をより確実にすることが可能となるのである。
【図面の簡単な説明】
【００２０】
【図１】本考案の斜視図。
【図２】ａ  設置状態を示す説明断面図。
【００２１】
ｂ  回動方法を示す説明図。
【図３】表示部材の態様を示す説明図。
【考案を実施するための形態】
【００２２】
以下、好ましい考案の実施形態につき、図面を参照しながら述べる。
【００２３】
図１に示すように本考案にかかるモグラ捕獲器は、導入筒１に筒体２を垂直に立設してなるものである。具体的な設置方法は図２ａに示すように導入筒１を地中のモグラが通るトンネルに沿って埋設するものであり、この際筒体２の上部は地上に現れるように設置する。
【００２４】
筒体２の上部、地上に現れる部分には孔部たる視認窓３が形成してある。
【００２５】
筒体２内から、導入筒１内に形成される通路４に至る部位には、棒体たる表示部材６が回動自在に装備されている。
【００２６】
回動自在となす方法は、図２においては表示部材６に設けた鍔部６ａと、筒体２に設けた鍔部２ａが係合することによる。但し、かかる手段に限定されるものではなく、軸受けを介在させてもよいし、あるいは単に筒体２内に表示部材６を緩挿するだけでもよい。あるいは、図２ｂに示すように表示部材６の上端６ｂを、筒体２の天井部２ｂ外に貫通させたうえで屈曲させるといった方法でもよいし、その他、回動可能であれば任意の方法で構わない。
【００２７】
表示部材６の上部には円筒形の塗色部６ｃが設けられている。この塗色部６ｃは２色以上に塗り分けられている。例えば塗色部６ｃ周面のうち、視認窓３から見える範囲程度の部分に黒色を、周面の残りの部分には赤色を塗っておく。そして、設置時に黒色に塗った部分を視認窓３から見える部位にもってきておけば、導入筒１内にモグラが侵入し表示部材６下端の突片６ｄに触れれば、表示部材６が回動し、視認窓３からは赤色に変わった塗色部６ｃを確認できるのである。
【００２８】
突片６ｄの形状は図２に示すようにブラシ状に形成してもよいし、図３ａに示すようにリング状、図３ｂに示すように板状に形成してもよい。
【００２９】
導入筒１の両端部には導入筒１内通路４方向には開くが、反対側には開かない逆止扉５が設けてある。逆止扉５はそれぞれ上端部を導入筒１の通路４内天井側に回動自在に連結して吊り下げ状態となっている。一方向にしか開かなくする方法は、留具を設けても良いし、導入筒１の内径よりも長い高さに形成し、進行方向に向け、斜めに取り付けるといった方法でもかまわない。
【符号の説明】
【００３０】
１・・導入筒
２・・筒体
３・・視認窓
４・・通路
６・・表示部材
６ｄ・・突片
【図１】
0003154667.tif 000003
【図２】
0003154667.tif 000004
【図３】
0003154667.tif 000005